(57)【特許請求の範囲】
【請求項１】
バネによって押圧されながら軸に可動自在に取り付けられた舌状片を有するコインキーを扉に備え、該コインキーによって、本体と扉とが施錠および解錠される管理室制御盤であって、
前記本体の内面から立設され、水平片を有する枠形の筐体ロック部を設け、
該筐体ロック部の水平片を、平坦部と、該平坦部の一端に設けられ片側から前記本体の内面側の中央に向かって上り傾斜となる傾斜部とから構成し、
前記コインキーは、前記舌状片が前記平坦部の内側にバネで押圧されながら施錠されており、
前記コインキーの操作部を傾斜部の高さ以上に押し込みながら前記舌状片を回転させ、前記舌状片を傾斜部に乗り越えさせて解錠することを特徴とする管理室制御盤。
【請求項２】
前記筐体ロック部の水平片は、垂直片により立設され、前記傾斜部は、該垂直片の片側から上り傾斜となるように形成され、傾斜部の高さは、前記舌状片の高さと略同じであることを特徴とする請求項１記載の管理室制御盤。
【発明の詳細な説明】
【０００１】
【発明の属する技術分野】
本発明は、例えば集合住宅の管理人室あるいは高層ビル、その他の大規模建築物等の管理室に設置される管理室制御盤に関するもので、特に端末機としてインターホン機能を備えた住宅情報盤および集合玄関機などが接続され、それらの機器の通話を制御する通話制御装置に関するものである。
【０００２】
【従来の技術】
例えば集合住宅の管理人室あるいは高層ビル、その他の大規模建築物等の管理室に設置される管理室制御盤は、内部の点検が可能なように蓋（扉）を設けているが、蓋はコインキーによって施錠するようになっている。
また、特開平４−３５５８９７号公報に開示されている従来の管理室制御盤においては、本体の外周に連結リブによって外枠を連結させた二重枠構造とすることによって、また、連結リブを切断し外枠を取り外すことによって、壁面直付けタイプから埋込設置タイプに変更できることが記載されている。
【０００３】
【発明が解決しようとする課題】
上記のような従来の管理室制御盤に使用されているコインキーによる施錠および解錠は、舌状片を回して溝に落とし込んだり溝から外す構造としているので、誰でも容易に扉の開閉を行うことができ、安全性の点で問題がある。
また、二重枠構造としたものにおいては、埋め込み設置とする場合、取り外した外枠の廃棄処理の問題があり、金型の複雑化、省資源の点等からも問題があった。
【０００４】
本発明は、このような問題点を解決するためになされたものであり、コインキーによる解錠操作の防犯性を高め、また、一部を分離独立可能に構成して凡ゆる設置状態に適用可能とし、さらには複数台を隣接設置しても箱状の蓋部を支障なく開閉できる管理室制御盤を提供することを目的とする。
【０００５】
【課題を解決するための手段】
本発明に係る管理室制御盤は、バネによって押圧されながら軸に可動自在に取り付けられた舌状片を有するコインキーを扉に備え、コインキーによって、本体と扉とが施錠および解錠される管理室制御盤であって、本体の内面から立設され、水平片を有する枠形の筐体ロック部を設け、筐体ロック部の水平片を、平坦部と、平坦部の一端に設けられ片側から本体の内面側の中央に向かって上り傾斜となる傾斜部とから構成し、コインキーは、舌状片が平坦部の内側にバネで押圧されながら施錠されており、コインキーの操作部を傾斜部の高さ以上に押し込みながら舌状片を回転させ、舌状片を傾斜部に乗り越えさせて解錠する。
【０００６】
また、筐体ロック部の水平片は、垂直片により立設され、傾斜部は、その垂直片の片側から上り傾斜となるように形成され、傾斜部の高さは、舌状片の高さと略同じである。
【００１１】
【発明の実施の形態】
図１は本発明の実施の形態を示す正面図、側面図および底面図である。図において、１はキャビネット本体で、箱状に合成樹脂で成形され、内部に回路基板および電子部品類を内蔵し、背面が建物の壁面等に固定される。２は箱状に合成樹脂で成形されたキャビネット扉で、前面に操作パネル３、ハンドセット本体４、ハンドセットカバー５、ボタン６および表示パネル７が設けられ、内部には回路基板および電子部品類が配備され、前記キャビネット本体１に対峙して、ヒンジ９で開閉可能なように備えられる。８はコインキーで、前記キャビネット本体１とキャビネット扉２とを施錠する。１０はカールコードである。
なお、ハンドセット本体４およびハンドセットカバー５をまとめてハンドセットまたは送受話器と呼称する。
【００１２】
前記キャビネット本体１には、キャビネット扉２がヒンジ９で片開きするように取り付けられている。このヒンジ９の取付位置は開き部位置と段差を有している。
ここで開き部位置とは、キャビネット本体１の開口側とキャビネット扉２の開口側との接触する面のことをいい、ヒンジ９の取付位置に段差を持たせるために、キャビネット本体１の開口側のヒンジ取付側には段部９ａが形成され、また、キャビネット扉２の開口側のヒンジ取付側には、その段部９ａに対応する切欠部９ｂが形成されている。
そして、ヒンジ９の取付位置は開き部位置より前面側に近寄るように構成されている。
【００１３】
上記のように構成された管理室制御盤においては、図２に示すように複数台を横に並べ、当接させた場合でも、キャビネット扉２を隣接したキャビネット本体１にぶつけることなく、９０度以上にわたって開くことができ、内部の点検作業を行いやすい。また管理室制御盤を通話制御装置として使用する場合には、通話制御装置の横には、住宅情報盤や集合玄関機の映像を制御する映像制御装置が隣接して設置されているのが、一般的であるので、このように左右の開閉角度を大きくとれることは好ましい。
【００１４】
ヒンジ９の取付位置に段差を有しない場合には、比較例を示す図３で明らかなように、全てのキャビネット扉２を大きく展開できない状態が発生し、このような状態は、隣接どうしを大きな間隔で設置することにより回避できるが、広いスペースが必要となる。
なお、キャビネット本体１の段部９ａおよびキャビネット扉２の切欠部９ｂを大きくすることで、扉の開閉角をより大きくすることが可能となるが、図のように切欠部９ｂの高さを、扉２の高さの約半分とすることで、強度的にも支障を生じない。
【００１５】
前記キャビネット扉２に設けたコインキー８は、図４〜図６に示すようにキャビネット本体１の底部の内面からコの字状の枠形に立設した筐体ロック部１ａにコインキー８の舌状片８ａを交叉させて施錠するようになっている。
前記コの字状の筐体ロック部１ａの水平片１ｃにおいて、垂直片１ｄの片側から上り傾斜となる傾斜部１ｂが設けられる。傾斜部１ｂの長さは、水平片１ｃの長さの約３分の１であり、その高さは舌状片８ａの高さと略同じである。
前記舌状片８ａは、キャビネット扉２の前面と直交する軸に取付けられ筐体ロック部１ａの横側となる位置へ設けられ、前面から回動可能で、その長さ方向に移動自在で、コイルバネＫによって、キャビネット扉２の前面方向へ押圧されるように軸に固定されている。
【００１６】
なお舌状片８ａは、このコイルバネＫの影響により、筐体ロック部１ａ内に位置するときは、コの字状の枠形の水平片１ｃの内側に押圧されている。
筐体ロック部１ａの舌状片８ａと当接する平坦な部分は、舌状片８ａと同一平面上に設定されている。
なお舌状片８ａの横には、扉２裏面側からＬ字型のアングルＡが突出するように設けられ、舌状片８ａは９０°だけしか回動できないように制限されている。
【００１７】
上記のように構成されたコインキー８においては、この実施の形態では、前記舌状片８ａは時計回りの矢視方向に回転させる。舌状片８ａは矢視方向に回転させると、筐体ロック部１ａの内部へ回り込む際に、筐体ロック部１ａの傾斜部１ｂに沿って滑り込むので押圧動作を必要とせずに回転できる。舌状片８ａをコの字状の枠形と平行な位置関係にある所（解錠状態）から、９０°回転させると傾斜部１ｂが無くなり、舌状片８ａとコの字状枠が直交した状態となり、平坦部（水平片１ｃ）に押圧されて施錠完了となる。この状態から解錠させる場合は、反時計回りに９０°回転させればよい。
【００１８】
しかし、この場合には、単に回すだけでは舌状片８ａが傾斜部１ｂを乗り越えられないので、コイルバネに抗うように、コインキーの操作部を傾斜部高さ以上に押し込みながら舌状片８ａを回転させる。これにより舌状片８ａは平坦部から離れ傾斜部１ｂを乗り越えて筐体ロック部１ａから外れ、解錠される。従って、単に回転させるだけで施錠を行えるが、解錠操作は押圧しながら回転させないと解錠できない。
【００１９】
前記操作パネル３は、キャビネット扉２と分離可能に設けられ、枠状に開口を形成したキャビネット扉２の前面へ扉２の裏側から固定する。なお、図７に示すように操作パネル３の周囲は、表面とは段差を有するように設けたツバ部３ａを扉の開口へ嵌め込む構成としているが、前記段差は必要に応じて形成するものである。図７および図８に示すように操作パネル３の周囲に所望間隔で形成した固定部３ｂは、所望間隔で形成したコの字状に段部を有するように成形し、小穴を穿ったものである。また、固定部３ｃはツバ部３ａに長円を穿った構成としている。
【００２０】
上記のように構成した操作パネル３を樹脂製のキャビネット扉２に固定する場合は、図８（ａ）に示すようにキャビネット扉２の枠状に形成した開口の周囲形状を、操作パネル３に設けた固定部３ｂの段部に嵌まる凸部を設けてタッピングネジ等を使用してビス止めする。
【００２１】
操作パネル３を分離独立させて、集合住宅の管理人室あるいは高層ビル、その他の大規模建築物等の管理室の壁に設けた金属板２ａまたは金属製の扉に設置するタイプにおいては、固定部３ｃにリーマネジ付きビスやＭネジ等を挿入して、該金属板２ａに固定する。従って、扉側の材質が金属であっても、樹脂であっても、簡単に操作パネルを取り付けることができ、壁面直付けタイプおよび埋込設置タイプ等、その他凡ゆる設置型式に対応可能である。
なお、図８ｂにおいて、ビスは金属板２ａ側から挿入してもよく、この場合には、操作パネル３ｃ側にナットを設けて、ビスを固定するようにする。
【００２２】
【発明の効果】
以上のように本発明によれば、コインキーの操作部を筐体ロック部の傾斜部の高さ以上に押し込みながら舌状片を回転させ、舌状片を傾斜部に乗り越えさせて解錠するようにしたので、管理者以外の者が勝手に扉を開けるのを防止でき、いたずら防止や防犯効果が高まる。
【図面の簡単な説明】
【図１】本発明の実施の形態を示す正面図、側面図および底面図である。
【図２】本発明の実施の形態のキャビネット扉の閉状態および開状態を示す説明図である。
【図３】本発明の比較例のキャビネット扉の閉状態および開状態を示す説明図である。
【図４】本発明の実施の形態を示すキャビネット本体の正面図である。
【図５】図４のＫ部を示す拡大説明図である。
【図６】図４のＫ部を示す拡大斜視図である。
【図７】本発明の実施の形態を示す操作パネルの正面図および内面図である。
【図８】図７のＹ−Ｙ矢視を示す拡大断面図である。
【符号の説明】
１  キャビネット本体
１ａ  筐体ロック部
１ｂ  傾斜部
２  キャビネット扉
２ａ  金属板
３  操作パネル
３ａ  ツバ部
３ｂ，３ｃ  固定部
４  ハンドセット本体
５  ハンドセットカバー
６  ボタン
７  表示パネル
８  コインキー
８ａ  舌状片
９  ヒンジ
１０  カールコード
【図１】
0003783193.tif 000002
【図２】
0003783193.tif 000003
【図３】
0003783193.tif 000004
【図４】
0003783193.tif 000005
【図５】
0003783193.tif 000006
【図６】
0003783193.tif 000007
【図７】
0003783193.tif 000008
【図８】
0003783193.tif 000009